(57)【特許請求の範囲】
【請求項１】
斜め前方の上方に設けられた表示装置からの表示光が投射される透光性の投射用スクリーンと、該投射用スクリーンの斜め前方の上方に設けられ且つ当該投射用スクリーンの複数の凸レンズに対して所定の入射角で投射する表示装置と、を有する表示システムであって、
前記投射用スクリーンが、シート状の本体と、該本体の表面に一体に形成された複数の凸レンズと、該複数の凸レンズの各々に対応して前記本体に設けられ且つ前記複数の凸レンズの各々に所定の入射角で入射した前記表示光を、当該表示光が入射した前記凸レンズとは異なる凸レンズに反射する複数の反射部材と、を一体に有し、
前記複数の凸レンズの各々が、前記表示光を前記反射部材に集光し且つ前記反射部材で反射した表示光を所定の出射角で拡散させて出射させる球面又は非球面で形成されているとともに、前記複数の凸レンズの各々に入射する表示光の入射角と前記反射部材で反射した表示光の出射角との関係に基づいて前記本体の縦方向及び横方向において最適化された異なる形状に形成され、
前記複数の反射部材の各々が、該複数の反射部材の各々に入射する表示光の入射角と当該複数の反射部材で反射する表示光の出射角との関係に基づいて個々のミラー角度が異なるように形成され、
前記本体の裏面に設けられ且つ前記複数の凸レンズから入射して前記複数の反射部材を通過した光を吸収する暗色部材を有し、
前記表示装置が、前記表示光を前記投射用スクリーンの複数の凸レンズに走査するように投射して表示情報を表示する装置であることを特徴とする表示システム。
【請求項２】
前記表示装置が、レーザー状の前記表示光を複数の凸レンズに跨って投射する装置であることを特徴とする請求項１に記載の表示システム。
【発明の詳細な説明】
【技術分野】
【０００１】
本発明は、斜め前方に設けられた表示装置からの表示光が投射される透光性の投射用スクリーン及び当該投射用スクリーンを有する表示システムに関するものである。
【背景技術】
【０００２】
近年、運転者が運転に際して求める情報の増加や多角化に伴って、メータユニット内ではスペースの関係上表示しきれない情報を、フロントガラス上に虚像を表示させ、それを透して視認させる車両の前景と重畳視認させる、ヘッドアップディスプレイ装置（ＨＵＤ）と呼ばれる投射型表示ユニットが採用されている。
【０００３】
また、車両には車両速度、エンジン回転、燃料残量、温度等の計測値を表示する複数の表示器を有するコンビネーションメータを搭載していることから、該コンビネーションメータの狭スペース上に投影型表示ユニットによる表示を行うことが検討されてきた。そして、画像を投影表示する表示方法としては、特許文献１に示す車両用表示装置が知られている。この車両用表示装置は、光源を備えた第１の表示手段により、凸曲面状のスクリーンの画面全体に画像を投影表示すると共に、レーザを備えた第２の投影手段により、第１の投影手段による画像の特定部位に重ね合わせるように画像を表示している。
【０００４】
また、特許文献２に示すプロジェクタ用スクリーンは、斜め下方向から入射光を入射しても、光拡散層により入射光を光透過層の光入射面に対する法線方向に拡散するとともに、入射光とは異なる角度で入射される光を光吸収層で吸収することで、外光が帯状体で拡散する光に含まれることを抑制してきた。
【特許文献１】特開２００２−２３４３６０号公報
【特許文献２】特開２００２−２３２７１号公報
【発明の開示】
【発明が解決しようとする課題】
【０００５】
しかしながら、上述したスクリーンが拡散部材で形成されている場合、表示装置からの表示光を効率良く視聴者に向けて反射させることができずに、スクリーンの表示輝度が低くなってしまいという問題があった。また、特許文献２のスクリーンでは、外光の入射方向が限られてしまい、別方向からの外光が入射した場合は、表示輝度が低下してしまうという問題があった。例えば、スクリーンを車両のコンビネーションメータ等に用いる場合、太陽光等の外光は様々な角度から入射されるため、時刻の変化によって入射角が変化して品質の安定しない表示となる問題があった。
【０００６】
よって本発明は、上述した問題点に鑑み、様々な方向から外光が入射しても表示輝度の低下を防止できる投射用スクリーン及び表示システムを提供することを課題としている。
【課題を解決するための手段】
【０００７】
上記課題を解決するため本発明によりなされた請求項１記載の投射用スクリーンは、斜め前方に設けられた表示装置からの表示光が投射される透光性の投射用スクリーンにおいて、シート状の本体と、前記本体の表面に一体に形成された複数の凸レンズと、前記複数の凸レンズの各々に対応して前記本体に設けられ且つ前記複数の凸レンズの各々に所定の入射角で入射した前記表示光を、当該表示光が入射した前記凸レンズとは異なる凸レンズに反射する複数の反射部材と、を一体に有し、前記複数の凸レンズの各々が、前記表示光を前記反射部材に集光し且つ前記反射部材で反射した表示光を所定の出射角で拡散させて出射させる球面又は非球面で形成されていることを特徴とする。
【０００８】
上記請求項１に記載した本発明の投射用スクリーンによれば、表示装置からの表示光は凸レンズから所定の入射角で入射すると、集光されて反射部材に向かって本体内を導光される。該表示光は反射部材で入射した凸レンズとは異なる凸レンズに反射され、当該凸レンズから所定の出射角で拡散されて利用者に向かって出射される。また、外光は、所定の入射角以外から凸レンズに入射されるため、本体内を裏面に向かって導光されて外部に出射する。
【０００９】
請求項２記載の発明は、請求項１に記載の投射用スクリーンにおいて、前記本体の裏面に設けられ且つ前記複数の凸レンズから入射して前記複数の反射部材を通過した光を吸収する暗色部材を有することを特徴とする。
【００１０】
上記請求項２に記載した本発明の投射用スクリーンによれば、複数の凸レンズから入射した外光等は、本体内を裏面に向かって導光されると、暗色部材によって吸収されると共に、当該暗色部材の暗色を利用者に視認させることができる。
【００１１】
上記課題を解決するため本発明によりなされた請求項３記載の表示システムは、請求項１又は２に記載の投射用スクリーンと、前記投射用スクリーンの斜め前方に設けられ且つ当該投射用スクリーンの複数の凸レンズに対して所定の入射角で投射する表示装置と、を有することを特徴とする。
【００１２】
上記請求項３に記載した本発明の表示システムによれば、表示装が発した表示光は、投射用スクリーンの凸レンズから所定の入射角で本体内に入射すると、凸レンズで集光されて反射部材に向かって本体内を導光される。該表示光は反射部材で入射した凸レンズとは異なる凸レンズに反射され、当該凸レンズから所定の出射角で拡散されて利用者に向かって出射される。また、投射用スクリーンの本体に入射した外光は、表示装置やその取付部材等によって所定の入射角以外から凸レンズに入射されるため、本体内を裏面に向かって導光されて外部に出射する。
【００１３】
請求項４記載の発明は、請求項３に記載の表示システムにおいて、前記表示装置が、前記表示光を前記投射用スクリーンの凸レンズに走査するように投射して表示情報を表示する装置であることを特徴とする。
【００１４】
上記請求項４に記載した本発明の表示システムによれば、表示装置によって投射用スクリーンの複数の凸レンズに対して表示光が走査されると、所定の入射角で正確に各凸レンズに表示光が入射されるため、外光の影響を受けることなく、各凸レンズから利用者に向かって表示光を拡散させて出射させることができる。
【００１５】
請求項５記載の発明は、請求項３又は４に記載の表示システムにおいて、前記表示装置が、レーザー状の前記表示光を複数の凸レンズに跨って投射する装置であることを特徴とする。
【００１６】
上記請求項５に記載した本発明の表示システムによれば、表示装置によってレーザー状の表示光が投射用スクリーンの複数の凸レンズに同時に投射されると、各凸レンズから平均化されて入射して異なる複数の凸レンズから利用者に向かって出射される。
【発明の効果】
【００１７】
以上説明した請求項１に記載した本発明の投射用スクリーンによれば、表示装置からの表示光を所定の入射角で各凸レンズに入射させ、各凸レンズで反射部材に集光した表示光を入射した凸レンズとは異なる凸レンズに反射させ、各凸レンズから所定の出射角で拡散されて利用者に向かって出射させるようにしたことから、所定の入射角以外で本体に入射した外光は反射部材で反射せずに本体の裏面に導光されるため、利用者に向かう外光を低減することができる。従って、様々な方向から外光が入射する環境に設置されても、表示光が外光の影響を受けることを低減できるため、表示輝度の低下を防止できる。
【００１８】
請求項２に記載した本発明の投射用スクリーンによれば、請求項１に記載の効果に加え、本体の裏面に暗色部材を設けるようにしたことから、本体内の裏面に向かった外光等を暗色部材で吸収することができるため、凸レンズから利用者に向かって出射する外光の光量を低減できる。従って、様々な方向から外光が入射しても、表示光が外光の影響を受けることを低減できるため、表示輝度の低下を防止できる。
【００１９】
以上説明した請求項３に記載した本発明の表示システムによれば、表示装置からの表示光を所定の入射角で投射用スクリーンの各凸レンズに入射させ、各凸レンズで反射部材に集光した表示光を入射した凸レンズとは異なる凸レンズに反射させ、各凸レンズから所定の出射角で拡散させて利用者に向かって投射用スクリーンから出射させるようにしたことから、所定の入射角以外で投射用スクリーンの本体に入射した外光は反射部材で反射せずに本体の裏面に導光されるため、投射用スクリーンから利用者に向かう外光を低減することができる。従って、投射用スクリーンが様々な方向から外光が入射する環境に設置されても、表示光が外光の影響を受けることを低減できるため、表示輝度の低下を防止できる。
【００２０】
請求項４に記載した本発明の表示システムによれば、請求項３に記載の効果に加え、表示装置が投射用スクリーンの複数の凸レンズに対して表示光を走査させて、所定の入射角で正確に各凸レンズに表示光が入射されるようにしたことから、外光の影響を受けることなく、各凸レンズから利用者に向かって表示光を拡散させて出射させることができるため、表示光が外光の影響を受けることをより一層低減できる。
【００２１】
請求項５に記載した本発明の表示システムによれば、請求項３又は４に記載の効果に加え、表示装置からレーザー状の表示光を投射用スクリーンの複数の凸レンズに同時に投射させ、各凸レンズで平均化させて異なる複数の凸レンズから利用者に向かって出射させるようにしたことから、表示光が凸レンズに多少ずれた場合でも、平均化されて複数の凸レンズの各々から利用者に表示光を出射させることができるため、輝度斑を低減させることができる。
【発明を実施するための最良の形態】
【００２２】
以下、本発明に係る投射用スクリーン及び表示システムを車両のコンビネーションメータに組み込まれる車両用表示システムに適用する場合の一実施の形態を、図１乃至図７の図面を参照して以下に説明する。
【００２３】
図１に示す本発明の投射用スクリーン１０は、図２及び図３に示すように、車両用表示システム１に組み込まれる。車両用表示システム１は、意匠部材２と、前記意匠部材２に一体に設けられ且つ前記意匠部材２の前面側に車両に関する第１情報を表示する複数の表示器３と、投射用スクリーン（以下、スクリーンともいう）１０と、表示装置２０と、制御装置５０と、を有し、ケース４に一体に設けられ、表ガラス５で覆われている。そして、車両用表示システム１は、車両のインストルメントパネル（インパネ）１００内に、表示内容が運転者（利用者）から視認可能に組み付けられている。
【００２４】
意匠部材２は、合成樹脂等によって板状に形成されており、複数（図３中では２つ）の表示器３とスクリーン１０とが組み付けられることで、それらを意匠デザインに応じた位置に位置付ける。
【００２５】
複数の表示器３は、公知である速度計３Ａと回転計３Ｂとから構成されている。各表示器３は、表示対象に対応した目盛及び数字、文字または記号等の指標が付された文字板３１と、該文字板３１の前面に回動自在に設けられた指針３２と、を有している。そして、図示しない内機によって指針３２を計測量に対応した指示位置まで回動させることで、指標と指針３２を協働させて計測量を運転者に視認させている。
【００２６】
スクリーン１０は、図２に示すように、斜め上方の前方に設けられた表示装置２０からの表示光Ｌが投射される透光性のシート状に形成されている。なお、シート状とは、薄板のみではなく、平板等も含むものである。
【００２７】
スクリーン１０は、図１等に示すように、本体１１と、複数の凸レンズ１２と、複数の反射部材１３と、暗色部材１４と、を有して構成している。
【００２８】
本体１１は、アクリル、ポリカーボネート等の透光性の合成樹脂によってシート状に形成されており、その大きさは車両用表示システム１が有する表示装置２０の表示可能領域の大きさ、車種毎のメータデザイン等によって任意に定められる。
【００２９】
複数の凸レンズ１２の各々は、利用者のアイポイントＥＰに向かって突出するように、本体１１の表面１１ａに一体に形成されている。例えば、１００ミクロン等に形成した複数の凸レンズ１２の各々は、図４に示すように、マトリクス状に配列されることで、光学素子であるレンズアレイを形成している。即ち、本体１１の表面１１ａにレンズアレイが一体に形成されていることになる。
【００３０】
各凸レンズ１２は、図１に示すように、レーザー状の表示光Ｌを反射部材１３に集光し且つ反射部材１３で反射した表示光Ｌを所定の出射角で拡散させて出射させる球面又は非球面で形成されている。詳細には、各凸レンズ１２は、その表面に対して所定の入射角θ１で入射する光のみを反射部材１３に向けて集光し、それ以外の入射角で凸レンズ１２に入射する外光等の光は反射部材１３から外れた方向に導光する形状となっている。また、各凸レンズ１２の表面には、ＡＲ（AntiReflection）処理等によって低反射層１２ａが形成されており、各凸レンズ１２に様々な角度から入射する外光を低減させてコントラスト低下を防止している。
【００３１】
各凸レンズ１２は、図５に示すように、反射部材１３で反射した表示光ＬがアイレンジＥＲの範囲で均一な明るさで視認されるように、表示光Ｌの焦点位置Ｃを反射部材１３の前方の適切な位置となる形状に形成されている。そして、各凸レンズ１２は、反射部材１３で反射したレーザー状の表示光Ｌを所定の出射角で拡散させてアイレンジＥＲに向かって出射させる。
【００３２】
つまり、各凸レンズ１２は、表示光Ｌの焦点位置Ｃを、反射部材１３に対してどの位置に設定するかによってアイレンジＥＲに向かわせる表示光Ｌの光量を制御することができる。なお、アイレンジＥＲとは、車両用表示システム１に対してアイポンチＥＰが移動してもその表示内容が視認できることを保障する空間領域を意味している。
【００３３】
また、複数の凸レンズ１２は、図２に示すように、本体１１の上方１１Ｈに対しては表示光Ｌが所定の入射角θ２、下方１１Ｌに対しては所定の入射角θ３というように異なる入射角となるため、各入射角と出射角との関係等に基づいて、本体の縦方向Ｈ及び横方向Ｗにおいて各凸レンズ１２が最適化された異なる形状に形成されている。
【００３４】
複数の反射部材１３の各々は、図４，５等に示すように、上述した複数の凸レンズ１２の各々に対応して本体１１の裏面側に設けられている。よって、スクリーン１０に表示光Ｌを投射していない状態で、アイポイントＥＰからスクリーン１０の各凸レンズ１１を視認すると、レンズ効果によって各凸レンズ１１に反射部材１３が写し出される。
【００３５】
複数の反射部材１３の各々は、各凸レンズ１２から集光される表示光Ｌの大きさに対応した略円形状の反射面１３ａと、当該表示光Ｌが入射した凸レンズ１２とは異なる凸レンズ１２（例えば、表示光Ｌの走査方向における隣の凸レンズ、走査方向における複数離れた凸レンズなど）に反射する角度に反射面１３ａを位置付ける傾斜部１３ｂと、を有している。そして、各反射部材１３の反射角は、図５に示すように、外光ＭをアイレンジＥＲから外れる方向に反射する角度となっている。
【００３６】
なお、各反射部材１３は、レーザー状の表示光Ｌの反射方向を制御するものであるため、凸レンズ１２と同様に、個々のミラー角度が異なるように本体１１に形成されている。そして、各反射部材１３は、各凸レンズ１２との間の距離によって本体１１の裏面１１ｂ寄りとしたり、本体１１の中央付近とするなど適宜設計される。また、各反射部材１３の反射角は、各凸レンズ１２における表示光Ｌの入射角が大きい場合は、表示光Ｌの走査方向における複数離れた凸レンズ１２に反射する角度で各反射部材１３を本体に形成することで、各凸レンズ１２から正確にアイレンジＥＲの方向に表示光Ｌを向かわせることができるため、表示装置２０の設置場所に自由度を持たせることができる。
【００３７】
暗色部材１４は、図１、５等に示すように、前記本体１１の裏面１１ｂに設けられ且つ前記複数の凸レンズ１２から入射して前記複数の反射部材１３を通過した外光Ｍ等の光を吸収する。暗色部材１４は、コンビネーションメータの意匠デザインに応じて、黒色、ダークブラウン、ダークグレー等の塗料の塗布、各種印刷等によって本体１１の裏面１１ｂに膜状に形成される。よって、暗色部材１４は、反射部材１３を通過した表示光Ｌの一部や外光Ｍ等を吸収するため、表示光Ｌを投射しない車両用表示システム１のＯＦＦ時等の間は、外光Ｍ等によって暗色部材１４の暗色を運転者に視認させることができる。一般的な車両のメータは、黒色と近いため、デザインの制約を受けることなく、スクリーン１０を車両用表示システム１に組み込むことができる。
【００３８】
表示装置２０は、表示光Ｌを２次元的に走査させて投射するレーザー投射装置等が用いられ、上述したスクリーン１０の所望の領域にレーザー状の表示光Ｌを走査するように投射することで、所望の表示情報をスクリーン１０上に表示される。例えば、表示装置２０として、公知である超小型の半導体レーザ等が用いられる場合、表示装置２０の明るさ変調、レーザ光の照射のＯＮ−ＯＦＦ、表示光Ｌの走査等が制御装置５０により制御される。なお、表示装置２０としては、液晶表示装置等の各種表示装置を任意に選択して用いることができる。
【００３９】
また、本実施形態では、表示装置２０とインパネ１００が、図２に示すように、上述した複数の凸レンズ１２の各々に、所定の入射角θ１〜θ３で外光Ｍが入射することを阻止する阻止手段として機能させている。これにより、表示光Ｌが外光Ｍの影響を受けることを低減させている。
【００４０】
制御装置５０は、図２に示すように、意匠部材２に背後に設けられる配線板６に実装されている。制御装置５０は、図示しないが、ＣＰＵ（中央処理装置）、ＲＯＭ（読み出し専用メモリー）、及びＲＡＭ（随時書き込み読み出しメモリー）を含むマイクロコンピュータで構成されている。そして、ＣＰＵは、ＲＯＭに記憶されている制御プログラムにしたがって表示器３の表示を制御するとともに、表示装置２０の表示を制御する。制御装置５０は、車両用バッテリ等に接続された定電圧電源から供給される電力により駆動する。
【００４１】
制御装置５０は、車両のイグニッション（ＩＧＮ）スイッチが入力／出力回路を介して接続されると共に、速度センサ、回転センサ等の各種機器に接続されている。そして、制御装置５０は、速度計３Ａ、回転計３Ｂ等と表示装置２０の車両用表示システム１全体の制御を司っている。
【００４２】
次に、上述した投射用スクリーン１０の設計方法の一例を、図５等の図面を参照して以下に説明する。
【００４３】
まず、表示装置２０が出射する１本の表示光Ｌの大きさ、その焦点位置Ｃ、凸レンズ１２の大きさ等に基づいて、スクリーン１０の厚さを設計する。そして、スクリーン１０の厚さにおいて、表示光Ｌに対する反射部材１３の反射角度と反射位置を設計する。そして、シミュレーション・ソフトウェア、実験等により、スクリーン１０の表面に入射する表示光Ｌの全ての入射角と出射角に最適な各凸レンズ１２の形状、大きさ等を予測し、スクリーン１０の表面における複数の凸レンズ１２の配置を確定する。その場合、凸レンズ１２の大きさによっては、隣り合う凸レンズ１２同士の間に間隔を設けてもよい。
【００４４】
次に、上述した構成の車両用表示システム１において、本発明に係るスクリーン１０の動作（作用）の一例を、図５等の図面を参照して以下に説明する。
【００４５】
表示装置２０がスクリーン１０に表示光Ｌを投射していない状態では、その凸レンズ１２の各々の低反射層１２ａを透過した外光Ｍが本体１１内に入射されると、その外光Ｍは本体１１内を導光されて暗色部材１４に到達して吸収される。これにより、運転者はスクリーン１０を暗色部材１４の暗色で視認することになる。
【００４６】
表示装置２０がスクリーン１０に対して表示光Ｌを走査させて投射している状態では、各凸レンズ１２に表示光Ｌが所定の入射角θ１〜θ３で入射すると、その表示光Ｌは反射部材１３に向かって集光され、反射部材１３によって当該表示光Ｌが入射した凸レンズ１２とは異なる走査方向の隣の凸レンズ１２に反射され、当該凸レンズ１２で予め定められた範囲でアイレンジＥＲに向けて拡散されて表示光Ｌが出射する。また、外光Ｍは、表示装置２０とインパネ１００によって凸レンズ１２に所定の入射角θ１〜θ３で入射することが阻止され、所定の入射角θ１〜θ３以外から各凸レンズ１２に入射されるため、本体１１内を裏面１１Ｂに向かって導光されて暗色部材１４に吸収される。これにより、運転者は外光Ｍの影響を受けることなく、表示光Ｌを視認することができる。
【００４７】
以上説明した投射用スクリーン１０によれば、表示装置２０からの表示光Ｌを所定の入射角θ１〜θ３で各凸レンズ１２に入射させ、各凸レンズ１２で反射部材１３に集光した表示光Ｌを入射した凸レンズ１２とは異なる凸レンズ１２に反射させ、各凸レンズ１２から所定の出射角で拡散されて利用者に向かって出射させるようにしたことから、所定の入射角θ１〜θ３以外で本体１１に入射した外光Ｍは反射部材１３で反射せずに本体１１の裏面１１ｂに導光されるため、利用者に向かう外光Ｍを低減することができる。従って、様々な方向から外光Ｍが入射する環境に設置されても、表示光Ｌが外光Ｍの影響を受けることを低減できるため、表示輝度の低下を防止できる。
【００４８】
また、本体１１の裏面１１ｂに暗色部材１４を設けるようにしたことから、本体１１内の裏面１１ｂに向かった外光Ｍ等を暗色部材１１で吸収することができるため、凸レンズ１２から利用者に向かって出射する外光Ｍの光量を低減できる。従って、様々な方向から外光Ｍが入射しても、表示光Ｌが外光Ｍの影響を受けることを低減できるため、表示輝度の低下を防止できる。そして、暗色部材１４の暗色を運転者に視認させることができることから、従来の白色系スクリーンを用いることなく、高輝度の投射用スクリーン１０を提供できるため、デザインの制約を受けにくく且つデザインに自由度を持たせることができる。
【００４９】
さらに、車両用表示システム１が上述した投射用スクリーン１０を有する構成としたことから、車両のような投射用スクリーン１０が様々な方向から外光Ｍが入射する環境に設置されても、表示光Ｌが外光Ｍの影響を受けることを低減できるため、車両用表示システム１における表示輝度の低下を防止できる。
【００５０】
また、表示装置２０が投射用スクリーン１０の複数の凸レンズ１２に対して表示光Ｌを走査させて、所定の入射角θ１〜θ３で正確に各凸レンズ１２に表示光Ｌが入射されるようにしたことから、外光Ｍの影響を受けることなく、各凸レンズ１２から利用者に向かって表示光Ｌを拡散させて出射させることができるため、表示光Ｌが外光Ｍの影響を受けることをより一層低減できる。
【００５１】
なお、上述した本実施形態では、１本のレーザー光である表示光Ｌを投射用スクリーン１０における複数の凸レンズ１２の各々に投射することを前提に説明したが、本発明はこれに限定するものではなく、１本の表示光Ｌを複数の凸レンズ１２に跨って投射するなど種々異なる実施形態とすることができる。
【００５２】
例えば、図６（ａ）に示すように、１本の表示光Ｌに９個の凸レンズ１２を割り当てることで、表示光Ｌが多少ずれた場合でも、図６（ｂ）に示すように、平均化されてアイレンジＥＲに向けて表示光Ｌを出射することができるため、アイレンジＥＲ全体で輝度斑を低減させることができる。また、図７（ａ）に示すように、１本の表示光Ｌに１２個の凸レンズ１２を割り当てることで、表示光Ｌが凸レンズ１２の半分ずれた場合でも、図７（ｂ）に示すように、平均化されてアイレンジＥＲに向けて表示光Ｌを出射することができるため、アイレンジＥＲ全体で輝度斑を低減させることができる。このように表示装置２０を設置することができるため、振動する車両等に本発明の表示システム１を搭載しても、輝度斑を低減して表示輝度の低下を防止できる。
【００５３】
なお、上述した投射用スクリーン１０及び該投射用スクリーン１０を有する表示システムは、その他にも家庭用のオーディオシステムや会議用表示システム等としても用いることができる。
【００５４】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００５５】
【図１】本発明の投射用スクリーンの外観を示す拡大透過斜視図である。
【図２】本発明に係る表示システムの概略構成を示す構成図である。
【図３】図２に示す表示システムの正面の一例を示す正面図である。
【図４】図３中の部分Ａを拡大した拡大図であり、（ａ）が正面、（ｂ）が断面をそれぞれ示している。
【図５】投射用スクリーンにおける表示光及び外光の動作を説明するための図である。
【図６】９個の凸レンズに１本の表示光を投射する一例を説明するための図であり、（ａ）が正面、（ｂ）が側面をそれぞれ示している。
【図７】１２個の凸レンズに１本の表示光を投射する一例を説明するための図であり、（ａ）が正面、（ｂ）が側面をそれぞれ示している。
【符号の説明】
【００５６】
１    表示システム（車両用表示システム）
１０    投射用スクリーン（スクリーン）
１１    本体
１２    凸レンズ
１３    反射部材
１４    暗色部材
２０    表示装置
Ｃ    焦点位置
Ｌ    表示光
Ｍ    外光
【図１】
0005299947.tif 000002
【図２】
0005299947.tif 000003
【図３】
0005299947.tif 000004
【図４】
0005299947.tif 000005
【図５】
0005299947.tif 000006
【図６】
0005299947.tif 000007
【図７】
0005299947.tif 000008